(57)【特許請求の範囲】
【請求項１】
建て付け開口部の内側面に取付けられ、前面に開閉建具の端部が近接対向される建具本枠と、前記建て付け開口部の内側面に連設した前面側内壁下地に固着される壁面材と、この壁面材と前記建具本枠との間において、前記建付け開口部の内側面と前記前面側内壁下地とで形成される角部に沿うようにして取付けられる断面略Ｌ字状とされた縦枠補助部材とを備え、
前記建具本枠は、前記縦枠補助部材のＬ字状の一辺が挿入され、かつこの一辺の挿入具合の調整を可能とする調整代を有した受入れ凹所を有し、
前記縦枠補助部材は、前記Ｌ字状の一辺が前記受入れ凹所内に挿入されるとともに、そのＬ字状の前面側の他辺が前記壁面材と略同厚でこれに連設され、該縦枠補助部材の前記他辺と前記壁面材とを略面一にしており、
前記壁面材及び前記縦枠補助部材の他辺の表面と、閉状態とされた前記開閉建具の表面とが略面一となるように、該開閉建具の厚さに応じて、前記建具本枠を前記建て付け開口部の内側面に対して見込み幅方向に沿って前後に移動させて前記縦枠補助部材の前記一辺の前記受入れ凹所への挿入具合を調整することにより、前記建具本枠の前面を前記閉状態とされた開閉建具の端部近傍背面に近接対向させるように位置させて、前記建具本枠をその背面が内壁の背面から突出しないように前記建て付け開口部の内側面に固着するようにしている開閉建具の開口縦枠取付構造。
【請求項２】
請求項１において、
前記建て付け開口部は、建物の室内空間と収納空間とを仕切る内壁に開設されており、
前記壁面材及び前記縦枠補助部材の他辺を、この内壁の室内空間側下地に固着している開閉建具の開口縦枠取付構造。
【請求項３】
請求項１または２において、
前記壁面材と前記縦枠補助部材との表面に亙って化粧シートを更に貼着している開閉建具の開口縦枠取付構造。
【請求項４】
請求項１乃至３のいずれか１項において、
前記建具本枠の受入れ凹所は、該建具本枠の角部に形成された切欠部と前記建付け開口部の内側面とによって形成される前面側に開口した縦溝とされている開閉建具の開口縦枠取付構造。
【請求項５】
請求項１乃至３のいずれか１項において、
前記建具本枠の受入れ凹所は、該建具本枠の前面に上下方向に沿って凹設された凹溝とされている開閉建具の開口縦枠取付構造。
【発明の詳細な説明】
【技術分野】
【０００１】
本発明は、開閉建具の開口縦枠取付構造の改良に関する。
【背景技術】
【０００２】
従来より、建物の内壁に形成された建て付け開口部に取付けられる開き戸や折れ戸等の開閉建具の開口枠としては、固定枠やケーシング枠が汎用されている。
上記固定枠は、開口部の内側面に沿って固着される長尺の板状体とされ、その見込み幅が、壁厚よりも大きくなるよう形成され、長手方向に沿って凹溝等を形成して戸当り部材を該凹溝内に取付けた構成とされている。また、このような従来の固定枠は、建て付け開口部の内側面に固着された状態では、該固定枠の見込み幅方向両端が内壁の表面から突出するような構造になっている。
【０００３】
また、上記ケーシング枠は、開口部の内側面に沿って固着される長尺の板状体の見込み幅方向両端面に嵌合溝を形成し、壁厚よりも見込み幅が小さく形成された縦枠部材と、該縦枠部材の長手方向に沿って形成された凹溝に取付けられる戸当り部材と、横断面略Ｌ字状に形成された一対の額縁部材（ケーシング部材）とから構成されている。このような構成とされた従来のケーシング枠は、縦枠部材を建て付け開口部の内側面に固着し、固着された縦枠部材の上記嵌合溝に、上記額縁部材の一辺をそれぞれ挿嵌して、他辺を建て付け開口部周辺の内壁表面に固着することで、その取付けがなされる。
このものでも上記一対の額縁部材の一部が内壁の表面から突出するような構造になっている。
【０００４】
さらに、下記特許文献１では、比較的厚い壁厚にも対応可能で、見込み幅を十分に広くとることができるドア枠構造が提案されている。
このドア枠構造は、戸当り部材が取付けられた従来から存在する枠本体と、従来から存在する一対の調整枠（額縁部材）と、該調整枠の一方に嵌合する調整部材とから構成されている。
このものでは、枠本体及び調整部材のそれぞれ対向する見込み幅方向端面を当接させ、その当接状態で、枠本体及び調整部材の見込み幅方向の外側端面に長手方向に亙って形成された嵌合凹部に、上記一対の調整枠のそれぞれの嵌合片を嵌入させて取付ける構造となっている。
【特許文献１】特開２００６−９３４７号公報
【発明の開示】
【発明が解決しようとする課題】
【０００５】
しかし、上記特許文献１に記載のドア枠構造も、上記した固定枠タイプ及びケーシング枠タイプ同様、内壁の表面から上記一対の調整枠の一部が突出する構造になっている。
このように内壁の表面から縦枠の一部が突出する構成とされた開口枠では、その突出部分が目立つことから、意匠性を高めるためには、該突出部分の突出度合いを、上下方向に沿って均一にすることが望ましく、高い施工精度が要求されることとなり、開口枠の施工性の改善が望まれていた。
また、開口枠自体を目立たせずに、すっきりとした外観にしたいという要望があるが、上記したような開口枠では、そのような要望に応えることが困難であった。
【０００６】
本発明は、上記実情に鑑みなされたものであり、外観上、開閉建具の開口縦枠を目立たせず、施工も容易な新規な構造の開閉建具の開口縦枠取付構造を提供することを目的としている。
【課題を解決するための手段】
【０００７】
前記目的を達成するために、本発明に係る開閉建具の開口縦枠取付構造は、建て付け開口部の内側面に取付けられ、前面に開閉建具の端部が近接対向される建具本枠と、前記建て付け開口部の内側面に連設した前面側内壁下地に固着される壁面材と、この壁面材と前記建具本枠との間において、前記建付け開口部の内側面と前記前面側内壁下地とで形成される角部に沿うようにして取付けられる断面略Ｌ字状とされた縦枠補助部材とを備え、前記建具本枠は、前記縦枠補助部材のＬ字状の一辺が挿入され、かつこの一辺の挿入具合の調整を可能とする調整代を有した受入れ凹所を有し、前記縦枠補助部材は、前記Ｌ字状の一辺が前記受入れ凹所内に挿入されるとともに、そのＬ字状の前面側の他辺が前記壁面材と略同厚でこれに連設され、該縦枠補助部材の前記他辺と前記壁面材とを略面一にしており、前記壁面材及び前記縦枠補助部材の他辺の表面と、閉状態とされた前記開閉建具の表面とが略面一となるように、該開閉建具の厚さに応じて、前記建具本枠を前記建て付け開口部の内側面に対して見込み幅方向に沿って前後に移動させて前記縦枠補助部材の前記一辺の前記受入れ凹所への挿入具合を調整することにより、前記建具本枠の前面を前記閉状態とされた開閉建具の端部近傍背面に近接対向させるように位置させて、前記建具本枠をその背面が内壁の背面から突出しないように前記建て付け開口部の内側面に固着するようにしている。
【０００８】
本発明の前記開閉建具の開口縦枠取付構造においては、前記建て付け開口部は、建物の室内空間と収納空間とを仕切る内壁に開設されており、前記壁面材及び前記縦枠補助部材の他辺を、この内壁の室内空間側下地に固着してもよい。
本発明の前記開閉建具の開口縦枠取付構造においては、前記壁面材と前記縦枠補助部材との表面に亙って化粧シートを更に貼着するようにしてもよい。
【０００９】
また、本発明の前記開閉建具の開口縦枠取付構造においては、前記建具本枠の受入れ凹所を、該建具本枠の角部に形成された切欠部と前記建て付け開口部の内側面とによって形成される前面側に開口した縦溝としてもよく、あるいは、前記建具本枠の受入れ凹所を、該建具本枠の前面に上下方向に沿って凹設された凹溝としてもよい。
【発明の効果】
【００１０】
本発明に係る前記開閉建具の開口縦枠取付構造では、開口縦枠を、建て付け開口部の内側面に取付けられ、前面に開閉建具の端部が近接対向される建具本枠と、前記壁面材と前記建具本枠との間において、前記建て付け開口部の内側面と前記前面側内壁下地とで形成される角部に沿うようにして取付けられる断面略Ｌ字状とされた縦枠補助部材とを備えた構成とし、また、前記建具本枠は、前記縦枠補助部材のＬ字状の一辺が挿入される受入れ凹所を有し、前記縦枠補助部材は、前記Ｌ字状の一辺が前記受入れ凹所内に挿入されるとともに、そのＬ字状の前面側の他辺が前記壁面材と略同厚でこれに連設され、該縦枠補助部材の前記他辺と前記壁面材とを略面一にしている。
上記構成によれば、前記縦枠補助部材の前面側の他辺を、前記壁面材と略同厚とし、該壁面材に連設するようにしているので、壁面材と開口縦枠を構成する縦枠補助部材の前面側の他辺とが略面一となる。従って、上記したような従来の開口枠のように内壁の表面から開口縦枠が突出するようなことがなく、開口縦枠が目立たず、すっきりとした外観となり、意匠性に優れたものとなる。また、前記建具本枠は、その前面が開閉建具の端部に近接対向されているので、開閉建具が存在する手前側から見た場合において、開閉建具の端部に隠蔽されて前面側に建具本枠が突出するようなこともなく、すっきりとした外観となり、意匠性に優れたものとなる。
【００１１】
また、前記縦枠補助部材のＬ字状の他辺を壁面材に連設することで、容易に壁面材と縦枠補助部材の他辺とを略面一とでき、施工性に優れたものとなる。
さらに、前記開閉建具の端部に近接対向される前記建具本枠の前面が、戸当り部として機能し、上述のような従来の開口枠のように戸当り部材を更に縦枠部材に取付けたり、加工したりする必要がなく、部品点数あるいは加工コストが減少するとともに施工性に優れたものとなる。
【００１２】
また、前記縦枠補助部材は、そのＬ字状の一辺を前記建具本枠の受入れ凹所に挿入させて固着され、また、そのＬ字状の前面側の他辺を前記壁面材に連設するようにしているので、縦枠補助部材と建具本枠との間、あるいは縦枠補助部材と壁面材との間に、隙間等が形成されることがなく、外観良く施工できる。すなわち、受入れ凹所を有さない角柱形状の建具本枠とし、角柱形状の縦枠補助部材とした場合において、これら建具本枠及び縦枠補助部材を、壁表面から突出させないように開口部の内側面に固着する場合は、いずれかが見込み幅方向に沿って前後あるいは斜めに位置ズレした状態で取付けられた際には、縦枠補助部材と建具本枠との間、あるいは縦枠補助部材と壁面材との間に、隙間等が形成される恐れがあるが、本発明によれば、上記したように、縦枠補助部材のＬ字状の一辺は、建具本枠の受入れ凹所に挿入されるとともに、Ｌ字状の他辺が壁面材と連設されるので、そのような隙間が生じる恐れがなく、外観良く施工できる。
【００１３】
また、前記建具本枠の受入れ凹所を、前記縦枠補助部材の前記一辺の挿入具合の調整を可能とする調整代を有したものとしているので、開閉建具の厚さが異なる場合でも、前記壁面材及び前記縦枠補助部材の他辺の表面と、前記開閉建具の表面とが略面一となるように、開閉建具の厚さに合わせて建具本枠の前面を位置させるとともに、前記縦枠補助部材の前記一辺の前記受入れ凹所への挿入具合を調整して前記建具本枠を固着させることができる。
これにより、開閉建具の厚さの変化に柔軟に対応でき、汎用性に優れたものとなる。また、上記同様、開口縦枠を構成する縦枠補助部材が壁面材から手前側に突出することがないとともに、壁表面と、開閉建具の表面とが略面一となるので、壁表面と開閉建具の表面とが、連続しているような印象を与えることができ、よりすっきりとした外観となる。
【００１４】
また、本発明に係る前記開閉建具の開口縦枠取付構造において、前記壁面材と前記縦枠補助部材との表面に亙って化粧シートを更に貼着するようにすれば、開口縦枠のいわゆる見付け部分が露出せず、すっきりとした外観となり意匠性に優れたものとなる。また、壁面材と縦枠補助部材の前面側の他辺とは、上記したように略面一とされているので、化粧シートを貼着する際に段差等が形成されず、施工が容易であるとともに、意匠性に優れたものとなる。
【００１５】
また、本発明に係る前記開閉建具の開口縦枠取付構造において、前記建具本枠の受入れ凹所を、該建具本枠の角部に形成された切欠部と前記建て付け開口部の内側面とによって形成される前面側に開口した縦溝とすれば、建具本枠の受入れ凹所を簡易な構成とできる。また、このような構成とされた受入れ凹所とすれば、前記縦枠補助部材のＬ字状の内面側角部を、前記建て付け開口部の内側面と前記前面側内壁下地とで形成される角部に添わせることで該縦枠補助部材を容易かつ確実に固着できる。
あるいは、前記建具本枠の受入れ凹所を、該建具本枠の前面に上下方向に沿って凹設された凹溝とすれば、前記のような角部を切欠いて受入れ凹所を形成したものと比べて、建て付け開口部の内側面に固着される側の面が大きくなるので、建具本枠を建て付け開口部の内側面に対して安定して固着させることができる。
【発明を実施するための最良の形態】
【００１６】
以下に本発明の最良の実施の形態について、図面に基づいて説明する。
図１は、第１実施形態に係る開口縦枠取付構造を模式的に示す概略横断面図、図２（ａ）〜（ｃ）は、同実施形態に係る開口縦枠取付構造の施工要領を説明する概略横断面図、図３（ａ）、（ｂ）は、同実施形態に係る開口縦枠取付構造の他の施工要領を説明する図であり、（ａ）は、図２（ａ）に対応させた概略横断面図、（ｂ）は、図１に対応させた概略横断面図である。
尚、以下の各実施形態において指す前後方向は、開閉建具の端部によって建具本枠が隠蔽された状態における閉状態とされた開閉建具に対して、使用者が対面した状態における手前側を前、奥側を後として説明する。また、各図においては、前面から見て左側の開口縦枠のみを図示しており、右側の開口縦枠は、図示省略しているが同様の構成である。
【００１７】
本実施形態では、図１に示すように、開口縦枠取付構造１は、建物の室内空間（居住空間）ＬＳと、収納空間ＳＳとの間を仕切る内壁８に開設された建て付け開口部ＯＰに、開口縦枠９を取付けた例を示しており、その建て付け開口部ＯＰを開閉自在に閉塞する開閉建具として、クローゼット用折戸７を例示している。
クローゼット用折戸７は、２枚の扉板が折り畳み自在に連結されて一組の折戸を構成しており、各図においては、１枚の扉板のみを図示している。また、クローゼット用折戸７は、図示しない上枠の上レールと下枠の下レールとによって、その上下に設けられたランナー及びピボットが支持され、それらランナー及びピボットの回動支点７ｂを支点として、図示手前側に向けて回動することで折り畳まれるとともに、上記上下レールに沿ってスライド自在とされている。
尚、上記開閉建具は、後記する開口縦枠９に丁番等を介して開閉自在に取付けられる開き戸としてもよい。
【００１８】
内壁８は、建て付け開口部ＯＰの内側面を構成する開口側側面２ａ及び該開口側側面２ａに連接した前面側内壁下地を構成する前面２ｂ、背面側内壁下地を構成する背面２ｄを有した柱２と、それら前面２ｂ及び背面２ｄにそれぞれ固着された壁面材３，５とを備えた木造軸組みとされている。壁面材３，５は、例えば、プラスターボード（石膏ボード）や、無垢の木板、ラワン合板、木質集成板、木質繊維板等から構成される。
上記内壁８は、特に図例のものに限定されず、柱２に胴縁等が取付けられた壁下地に、壁面材３，５等を固着するようにしてもよく、あるいは、プラスターボード等を下地板として、その下地板に、壁面材３，５を固着あるいは貼着するようにしてもよい。また、ＲＣ造、鉄骨造等にも本実施形態に係る開口縦枠取付構造１の適用が可能である。
【００１９】
上記開口縦枠９は、柱２の開口側側面２ａに固着される建具本枠１３と、横断面略Ｌ字状に形成された縦枠補助部材１０とを備え、これら建具本枠１３及び縦枠補助部材１０は、それぞれ床面から建て付け開口部ＯＰの天面まで上下方向に沿って長尺に形成されている。
建具本枠１３は、角柱状部材の手前側かつ柱２の開口側側面２ａ側の角部を切り欠いて形成された切欠部１３ｄを有し、柱２の開口側側面２ａに、その固着面１３ｃを固着させて取付けられる。また、建具本枠１３は、固着された際には、上記開口側側面２ａと、切欠部１３ｄとによって前面側に開口した縦溝１４を形成する。
【００２０】
上記建具本枠１３の見込み方向の幅は、内壁８の壁厚よりも小さく形成されており、クローゼット用折戸７が建て付けられた状態で、その前面１３ａがクローゼット用折戸７の背面側に位置するとともに、その背面１３ｂが内壁８の背面から突出しないような幅とされている。この建具本枠１３の見込み方向の幅は、厚さの異なる壁厚にも適用可能なように、比較的厚さの薄い壁厚に合わせた見込み方向の幅とすることが好ましく、これにより、壁厚の異なる内壁８にも適用可能となり、汎用性に優れたものとなる。
上記建具本枠１３は、例えば、無垢の木材や木質集成材、木質繊維板、あるいは合成樹脂材等から形成するようにしてもよい。
【００２１】
上記縦溝１４は、後記する縦枠補助部材１０の係合辺１１が挿入される受入れ凹所を構成し、その係合辺１１の挿入具合の調整を可能とする調整代を有している。
この調整代は、係合辺１１の見込み幅方向長さ及び開閉建具の厚さに応じて、縦溝１４の溝深さを適宜、設定することで形成されている。換言すれば、係合辺１１の見込み幅方向長さ、あるいは縦溝１４の溝深さを、開閉建具の厚さに応じて建具本枠１３が固着される際に、少なくとも係合辺１１の一部が挿入されるよう設定している。
【００２２】
また、上記調整代は、後記するように、厚さの異なる開閉建具のそれぞれの厚さに応じて、それら開閉建具の表面と壁表面とを略面一とするために設けられており、開閉建具の厚さが厚くなるに従い、後記する縦枠補助部材１０の係合辺１１の挿入具合を小さくすることで、厚さの異なるそれぞれの開閉建具の端部近傍背面に、建具本枠１３の前面１３ａが近接対向するよう係合辺１１の挿入具合の調整がなされる。換言すれば、建具本枠１３の前面１３ａが、開閉建具の端部近傍背面に近接対向するよう建具本枠１３を見込み幅方向に沿って前後に移動させることで、縦枠補助部材１０の係合辺１１の挿入具合の調整をなし、建具本枠１３が取付けられる。
【００２３】
縦枠補助部材１０は、上記縦溝１４に挿入されるＬ字状の一辺を構成する係合辺１１と、柱２の前面２ｂに固着されるＬ字状の他辺を構成する固定辺１２とを備えている。
上記係合辺１１の厚さは、縦溝１４の幅に合わせてその厚さが設定されている。また、上記固定辺１２の厚さｔ１（図２（ｂ）参照）は、前面側の壁面材３の厚さｔ２（図２（ｃ）参照）と略同厚さとされている。
上記縦枠補助部材１０は、無垢の木材や木質集成材、木質繊維板、あるいは合成樹脂材等から形成するようにしてもよい。
【００２４】
次に、上記構成とされた開口縦枠９を建て付け開口部ＯＰに取付ける開口縦枠取付構造１の施工要領について図２及び図３に基づいて説明する。
まず、図２（ａ）に示すように、柱２の背面２ｄに壁面材５が取付けられた状態で、建具本枠１３を柱２の開口側側面２ａに固着する。この際、二点鎖線で示すように、壁面材３の表面３ａ及び縦枠補助部材１０の固定辺１２の表面１２ａと、クローゼット用折戸７の表面７ａとが略面一となるよう、クローゼット用折戸７の厚さｔ３に応じて、建具本枠１３の前面１３ａを位置させる。すなわち、クローゼット用折戸７が納まるべき位置を仮定して、クローゼット用折戸７の端部近傍背面７ｃに、建具本枠１３の前面１３ａが近接対向するよう建具本枠１３を位置づけて固着する。この建具本枠１３の柱２への固着は、接着剤や釘、木ネジ等を介してなされる。
【００２５】
次いで、図２（ｂ）に示すように、縦枠補助部材１０の係合辺１１を上記縦溝１４に挿入するとともに、固定辺１２を柱２の前面２ｂに固着させて縦枠補助部材１０の取付けがなされる。この際、縦枠補助部材１０は、Ｌ字状の内面側角部１０ａを、建て付け開口部の内側面と前面側内壁下地とで形成される角部を構成する柱２の開口側前角部２ｃに添わせて、各辺１１，１２をそれぞれの対向面２ａ，２ｂに固着すれば良く、容易かつ確実に固着できる。この縦枠補助部材１０の柱２への固着は、接着剤や釘、木ネジ等を介してなされる。
尚、先に、縦枠補助部材１０を上記のように柱２の開口側前角部２ｃに添わせて固着し、次いで、上記したように、クローゼット用折戸７の厚さｔ３に応じて建具本枠１３を固着するようにしてもよい。
【００２６】
上記のように縦枠補助部材１０及び建具本枠１３を固着させた後、柱２の前面２ｂに壁面材３を固着する。この壁面材３は、その開口側端面３ｂを縦枠補助部材１０の固定辺１２の端面１２ｂに当接させて柱２の前面２ｂに固着され、該縦枠補助部材１０に連設されている。
この状態では、壁面材３の表面３ａと縦枠補助部材１０の固定辺１２の表面１２ａとは、それぞれの厚さｔ１，ｔ２が略同厚とされているので、段差等が形成されることなく、略面一となる。
次いで、壁クロスや合成樹脂系化粧フィルム、突板等の化粧シート４，６をそれぞれ内壁８の前面側及び背面側に貼着する。
【００２７】
前面側の化粧シート４は、前面側の壁面材３の表面３ａと、縦枠補助部材１０の固定辺１２の表面１２ａ及び係合辺１１の表面１１ａの一部とに亙って貼着されている。
また、背面側の化粧シート６は、背面側の壁面材５の表面５ａ及びその建て付け開口側端面と、柱２の開口側側面２ａの一部とに亙って貼着されている。
このように化粧シート４を貼着することで、開口縦枠９のいわゆる見付け部分（固定辺１２の表面１２ａ）が露出せず、すっきりとした外観となり意匠性に優れたものとなる。また、壁面材３と縦枠補助部材１０の固定辺１２とは、上記したように略面一とされているので、化粧シート４を貼着する際に段差等が形成されず、容易に施工できるとともに、意匠性に優れたものとなる。
尚、図では、建具本枠１３の表面、すなわち、その前面１３ａ、開口側側面、及び背面１３ｂには、化粧シート４，６を貼着していない場合を例示しているが、建具本枠１３の上記したような表面にも化粧シートを貼着するようにしてもよい。
【００２８】
上記構成とされた開口縦枠取付構造１において、図１に示すようにクローゼット用折戸７が建て付けられて開口縦枠９と上下枠とで構成される開口枠に納められた状態では、クローゼット用折戸７が閉状態とされている際には、建具本枠１３の前面１３ａがクローゼット用折戸７の端部近傍背面７ｃに近接対向する戸当り部として機能する。また、クローゼット用折戸７がスライドされる際には、縦枠補助部材１０の係合辺１１の表面１１ａがクローゼット用折戸７の端面７ｄに近接対向あるいは当接する戸当り部として機能する。
尚、上記戸当り部として機能する箇所には、上下方向に沿って気密パッキン等を添設するようにしてもよい。また、隙間を防ぐモヘア等を、縦枠補助部材１０及び／又は建具本枠１３の適所に上下方向に沿って添設するようにしてもよい。
【００２９】
次に、上記したクローゼット用折戸７の厚さｔ３とは異なる厚さｔ４とされたクローゼット用折戸７Ａに本実施形態に係る開口縦枠取付構造１を適用した態様について図３に基づいて説明する。
図３（ａ）に示すように、クローゼット用折戸７Ａの厚さｔ４は、上述のクローゼット用折戸７の厚さｔ３よりも厚さが大とされており、この厚さｔ４に合わせて建具本枠１３を柱２の開口側側面２ａに固着している。また、上述の態様では、化粧シート４の貼着前の壁面材３の表面３ａ及び縦枠補助部材１０の固定辺１２の表面１２ａと、クローゼット用折戸７の表面７ａとが略面一となるようにして、建具本枠１３を固着するようにした例を示したが、本態様では、壁仕上がり面ｆｓ、すなわち、化粧シート４が貼着された状態における内壁８の最外表面と、クローゼット用折戸７Ａの表面７ａとが略面一となるよう、建具本枠１３の前面１３ａを位置づけて建具本枠１３を固着するようにしている。
【００３０】
次いで、上述の態様と同様、縦枠補助部材１０及び前面側の壁面材３が取付けられる。
この態様では、図３（ｂ）に示すように、上述の態様と比べて、縦溝１４への係合辺１１の挿入具合が小さく、係合辺１１の端面１１ｂと縦溝１４の溝底面との間の隙間が、上述の態様よりも大きく形成されている。
このように、縦溝１４が異なる厚さの開閉建具に応じた調整代を有していることで、例えば、厚さの異なる開閉建具に合わせて、異なる建具本枠１３及び／又は縦枠補助部材１０を形成する必要がなく、汎用性のある開口縦枠９となる。
尚、本態様では、上記した態様とは異なり、壁仕上がり面ｆｓとクローゼット用折戸７の表面７ａとが略面一となるよう構成しているが、上記した態様においても通常、化粧シート４は、１．０ｍｍ以下の薄いものであるので、いずれの態様においても内壁８の表面と、クローゼット用折戸７，７Ａのそれぞれの表面とは、略面一となり、内壁８の表面と、クローゼット用折戸７，７Ａのそれぞれの表面とが、連続しているような印象を与えることができ、すっきりとした外観となる。
【００３１】
以上のように本実施形態に係る開口縦枠取付構造１によれば、縦枠補助部材１０の固定辺１２を、前面側の壁面材３と略同厚とし、壁面材３に連設するようにしているので、壁面材３と開口縦枠９を構成する縦枠補助部材１０の固定辺１２とが略面一となる。従って、従来の開口枠のように内壁の表面から開口縦枠が突出するようなことがなく、開口縦枠９が目立たず、すっきりとした外観となり、意匠性に優れたものとなる。また、建具本枠１３は、その前面１３ａがクローゼット用折戸７の端部近傍背面７ｃに近接対向されているので、クローゼット用折戸７の収納空間ＳＳ側に位置することとなる。従って、室内空間ＬＳ側から見た場合において、建具本枠１３は、クローゼット用折戸７の端部に、ほぼ隠蔽されて前面側に突出するようなこともなく、すっきりとした外観となり、意匠性に優れたものとなる。
【００３２】
また、縦枠補助部材１０の固定辺１２を壁面材３に連設することで、容易に壁面材３と縦枠補助部材１０の固定辺１２とを略面一とでき、施工性に優れたものとなる。
さらに、建具本枠１３の前面１３ａが、戸当り部として機能するので、従来の開口枠のように戸当り部材を更に縦枠部材に取付けたり、加工したりする必要がなく、部品点数あるいは加工コストが減少するとともに施工性に優れたものとなる。
さらにまた、本実施形態に係る開口縦枠取付構造１では、縦枠補助部材１０の係合辺１１が挿入される受入れ凹所を、柱２の開口側側面２ａと建具本枠１３の切欠部１３ｄとによって形成される縦溝１４で構成しているので、建具本枠１３の受入れ凹所の加工を容易に行え、簡易な構成とできる。
【００３３】
また、縦枠補助部材１０は、係合辺１１を縦溝１４に挿入させるとともに、固定辺１２を壁面材３に連設させて固着するようにしているので、縦枠補助部材１０と建具本枠１３との間、あるいは縦枠補助部材１０と壁面材３との間に、隙間等が形成されることがなく、外観良く施工できる。すなわち、受入れ凹所を有さない角柱形状の建具本枠とし、角柱形状の縦枠補助部材とした場合において、これら建具本枠及び縦枠補助部材を、壁表面から突出させないように開口部の内側面に固着する場合は、いずれかが見込み幅方向に沿って前後あるいは斜めに位置ズレした状態で取付けられた際には、縦枠補助部材と建具本枠との間、あるいは縦枠補助部材と壁面材との間に、隙間等が形成される恐れがあるが、本実施形態によれば、上記したように、縦枠補助部材１０の係合辺１１が建具本枠１３の縦溝１４に挿入されるとともに、固定辺１２が壁面材３と連設されるので、そのような隙間が生じる恐れがなく、外観良く施工できる。
【００３４】
尚、本実施形態においては、壁面材３，５の表面３ａ，５ａ及び縦枠補助部材１０の表面１１ａ，１２ａに化粧シート４，６を貼着した例を示しているが、壁面材３，５及び縦枠補助部材１０を化粧板材等で構成した場合等においては、化粧シートを貼着しない構成としてもよい。
また、本実施形態においては、開閉建具の表面と壁表面とを略面一とする場合において、異なる厚さの開閉建具に対しても適用可能なように、調整代を有した縦溝１４を例示したが、これに限られず、調整代を有さない縦溝１４としてもよい。この場合は、例えば、開閉建具の表面と壁表面とを略面一とする場合において、開閉建具の厚さに合わせて、予め縦溝１４の溝深さ及び縦枠補助部材１０の係合辺１１の見込み幅方向長さを形成するようにすれば、施工時に、縦枠補助部材１０を柱２の開口側前角部２ｃに添わせて固着し、次いで、建具本枠１３の縦溝１４の溝底面に、係合辺１１の端面１１ｂを当接させて固着すればよい。このような態様によれば、上記各態様と比べて汎用性には劣るが、施工性に優れたものとなる。
【００３５】
また、本実施形態に係る開口縦枠取付構造１は、開口縦枠９を建物の室内空間（居住空間）ＬＳと、収納空間ＳＳとの間を仕切る内壁８に開設された建て付け開口部ＯＰに取付けた例を示しているが、これに限られず、どのような建て付け開口部にも適用可能である。例えば、意匠性を高めたい、あるいはフラットな印象を与えたい側の空間の壁表面と、開閉建具の表面とが略面一となるようにする等、趣向に応じて適宜、適用可能である。
【００３６】
次に、本発明に係る他の実施の形態について、図面を参照しながら説明する。
図４は、第２実施形態に係る開口縦枠取付構造を説明する図であり、それぞれ図３（ａ），（ｂ）に対応させた概略横断面図である。
尚、第１実施形態との相違点は、主に建具本枠の構成であり、同様の構成については、同一符合を付し、説明を省略する。
【００３７】
本実施形態に係る開口縦枠取付構造１Ａの建具本枠１３Ａは、受入れ凹所の構成が前記第１実施形態の受入れ凹所とは異なる。
この建具本枠１３Ａは、図４（ａ）に示すように、その前面１３ａＡに、上下方向に沿って凹設され、前面側に向けて開口した凹溝１４Ａを有しており、この凹溝１４Ａが受入れ凹所を構成する。
上記構成とされた建具本枠１３Ａにおいても、上記第１実施形態と同様の調整代を有しており、クローゼット用折戸７Ａの厚さｔ４に合わせて柱２の開口側側面２ａに固着される。
次いで、図４（ｂ）に示すように、縦枠補助部材１０を柱２の開口側前角部２ｃに沿わせるようにして、縦枠補助部材１０の係合辺１１を凹溝１４Ａに挿入させるとともに、縦枠補助部材１０の固定辺１２を柱２の前面２ｂに固着させることで、縦枠補助部材１０を固着する。
【００３８】
上記のように、本実施形態においても上記第１実施形態と同様、施工性に優れるとともに、意匠性に優れたものとなる。
特に、建具本枠１３Ａの受入れ凹所を凹溝１４Ａとしているので、柱２の開口側側面２ａに固着される側の固着面１３ｃＡが、上記第１実施形態の建具本枠１３の固着面１３ｃよりも大きくなるので、建具本枠１３Ａを柱２の開口側側面２ａに対して安定して固着させることができる。
尚、本実施形態においても上記第１実施形態と同様、化粧シート４の貼着前の壁面材３の表面３ａ及び縦枠補助部材１０の固定辺１２の表面１２ａと、クローゼット用折戸７Ａの表面７ａとが略面一となるようにして、建具本枠１３Ａを固着するようにしてもよい。
また、上記第１実施形態で説明したように、化粧シートを貼着しない構成、あるいは、調整代を有さない建具本枠１３Ａの凹溝１４Ａとしてもよい。
【図面の簡単な説明】
【００３９】
【図１】本発明に係る開口縦枠取付構造の一実施形態を模式的に示す概略横断面図である。
【図２】（ａ）〜（ｃ）は、同実施形態に係る開口縦枠取付構造の施工要領を説明する概略横断面図である。
【図３】（ａ）、（ｂ）は、同実施形態に係る開口縦枠取付構造の他の施工要領を説明する図であり、（ａ）は、図２（ａ）に対応させた概略横断面図、（ｂ）は、図１に対応させた概略横断面図である。
【図４】（ａ）、（ｂ）は、いずれも本発明に係る開口縦枠取付構造の他の実施形態を説明する図であり、それぞれ図３（ａ），（ｂ）に対応させた概略横断面図である。
【符号の説明】
【００４０】
１                開口縦枠取付構造
２ａ              柱の開口側側面（建て付け開口部の内側面）
２ｂ              柱の前面（前面側内壁下地）
２ｃ              柱の開口側前角部（建て付け開口部の内側面と前面側壁下地とで形成される角部）
３                壁面材
３ａ              壁面材の表面
４                化粧シート
７，７Ａ          クローゼット用折戸（開閉建具）
７ａ，７ａＡ      折戸の表面（開閉建具の表面）
７ｃ，７ｃＡ      折戸の端部近傍背面（開閉建具の端部）
１０              縦枠補助部材
１１              縦枠補助部材の係合辺（縦枠補助部材のＬ字状の一辺）
１１ａ            縦枠補助部材の表面
１２              縦枠補助部材の固定辺（縦枠補助部材のＬ字状の他辺）
１２ａ            縦枠補助部材の表面
１３，１３Ａ      建具本枠
１３ａ，１３ａＡ  建具本枠の前面
１３ｄ            建具本枠の切欠部
１４              縦溝（受入れ凹所）
１４Ａ            凹溝（受入れ凹所）
ＯＰ              建て付け開口部
ｔ３，ｔ４        クローゼット用折戸の厚さ（開閉建具の厚さ）
【図１】
0005039516.tif 000002
【図２】
0005039516.tif 000003
【図３】
0005039516.tif 000004
【図４】
0005039516.tif 000005